(57)【要約】【課題】ガスケットのシール性能を向上させる。【解決手段】本発明は、バルブＢを保持するバルブホルダ４１の周りに設けたフード部２４を、ランプハウス３０に貫通して設けた取付孔３１に差し込んで回転止めすることによりランプハウス３０に固定されるバルブソケット２０用のガスケット１０であって、フード部２４の外周面に周設されたフランジ部２２に接触可能な面シール部分１２と、この面シール部分１２からフード部２４の外周面に沿って同フード部２４の軸方向に延出された軸シール部分１１とが一体に形成されており、面シール部分１２は、フランジ部２２とこれに対向して配置される取付孔３１の後側開口縁部３３との間でフード部２４の軸方向に狭圧され、軸シール部分１１は、フード部２４の外周面とこれに対向して配置される取付孔３１の内周面３４との間でフード部２４の径方向に狭圧される構成としたところに特徴を有する。【選択図】図１
2011108485.tif 000002
【特許請求の範囲】
【請求項１】
バルブを保持するバルブホルダの周りに設けたフード部を、被取付部に貫通して設けた取付孔に差し込んで回転止めすることにより前記被取付部に固定されるバルブソケット用のガスケットであって、
前記フード部の外周面に周設されたフランジ部に接触可能な面シール部分と、この面シール部分から前記フード部の外周面に沿って同フード部の軸方向に延出された軸シール部分とが一体に形成されており、
前記面シール部分は、前記フランジ部とこれに対向して配置される前記取付孔の開口縁部との間で前記フード部の軸方向に狭圧され、
前記軸シール部分は、前記フード部の外周面とこれに対向して配置される前記取付孔の内周面との間で前記フード部の径方向に狭圧されることを特徴とするバルブソケット用のガスケット。
【請求項２】
前記フード部の外周面に密着する密着面を備えていることを特徴とする請求項１に記載のバルブソケット用のガスケット。
【請求項３】
前記軸シール部分における前記フード部の軸方向先端部には、同後端部に設けられた前記面シール部分から離れるほど前記フード部の外周面に近づくテーパ面が形成されていることを特徴とする請求項１または請求項２に記載のバルブソケット用のガスケット。
【発明の詳細な説明】
【技術分野】
【０００１】
本発明は、バルブソケット用のガスケットに関する。
【背景技術】
【０００２】
従来、バルブソケット用のガスケットとして、例えば下記特許文献１に記載のものが知られている。バルブソケットは、バルブを保持するバルブホルダを備えており、このバルブホルダの周りにフード部が形成されている。フード部の外周面には、フランジ部が周設されており、このフランジ部とフード部の外周面に接触するようにしてガスケットが装着されている。
【０００３】
一方、バルブソケットが取り付けられる被取付部（例えばランプハウス）には、フード部が差し込まれる取付孔が貫通して設けられている。フード部を取付孔に差し込んで回転止めすることによりバルブソケットが被取付部に固定され、ガスケットが取付孔の開口縁部とフランジ部との間でフード部の軸方向に狭圧されることでこれらの間が防水されるようになっている。
【先行技術文献】
【特許文献】
【０００４】
【特許文献１】実開昭６２−１６５６８６号公報
【発明の概要】
【発明が解決しようとする課題】
【０００５】
しかしながら、例えばガスケットに過大な力が加えられた状態で回転止めした場合に、ガスケットが変形するなどしてシール性能が低下するおそれがある。
【０００６】
本発明は上記のような事情に基づいて完成されたものであって、ガスケットのシール性能を向上させることを目的とする。
【課題を解決するための手段】
【０００７】
本発明は、バルブを保持するバルブホルダの周りに設けたフード部を、被取付部に貫通して設けた取付孔に差し込んで回転止めすることにより被取付部に固定されるバルブソケット用のガスケットであって、フード部の外周面に周設されたフランジ部に接触可能な面シール部分と、この面シール部分からフード部の外周面に沿って同フード部の軸方向に延出された軸シール部分とが一体に形成されており、面シール部分は、フランジ部とこれに対向して配置される取付孔の開口縁部との間でフード部の軸方向に狭圧され、軸シール部分は、フード部の外周面とこれに対向して配置される取付孔の内周面との間でフード部の径方向に狭圧される構成としたところに特徴を有する。
【０００８】
このような構成によると、面シール部分に加えて軸シール部分で防水できるため、両シール部分のいずれか一方に不具合があった場合でも、他方によって防水できる。したがって、ガスケットのシール性能を向上させることができる。
【０００９】
本発明の実施の態様として、以下の構成が好ましい。
フード部の外周面に密着する密着面を備えている構成としてもよい。
このような構成によると、フード部を取付孔に差し込んで回転止めする際に、密着面がフード部の外周面に密着しているから、回転止めによってガスケットがめくれるなどのおそれがない。
【００１０】
軸シール部分におけるフード部の軸方向先端部には、同後端部に設けられた面シール部分から離れるほどフード部の外周面に近づくテーパ面が形成されている構成としてもよい。
このような構成によると、テーパ面が取付孔の開口縁に摺接することにより、軸シール部分を取付孔に差し込む際の案内をすることができる。
【発明の効果】
【００１１】
本発明によれば、ガスケットのシール性能を向上させることができる。
【図面の簡単な説明】
【００１２】
【図１】実施形態のバルブソケットおよびガスケットを側方から見た断面図
【図２】バルブソケットの正面図
【図３】バルブソケットの背面図
【発明を実施するための形態】
【００１３】
＜実施形態＞
本発明の実施形態を図１ないし図３の図面を参照しながら説明する。本実施形態のバルブソケット２０は、図１に示すように、略円筒状のソケット本体２１と、このソケット本体２１の後側に着脱可能とされるコネクタ（図示せず）と、ソケット本体２１とランプハウス（本発明の「被取付部」の一例）３０との間を防水するガスケット１０とを備えて構成されている。なお、以下の説明において前方（前側）とは、図１における左方（左側）とする。
【００１４】
ソケット本体２１の内部には、隔壁２３が形成されており、この隔壁２３よりも前方部分がフード部２４とされ、隔壁２３よりも後方部分がコネクタ嵌合部２５とされている。フード部２４は、図２に示すように、略円筒形とされており、コネクタ嵌合部２５は、図３に示すように、上下方向に長い略方形の筒状とされている。このコネクタ嵌合部２５の内部に、前記したコネクタが嵌合可能とされている。
【００１５】
フード部２４の外周面には、図１に示すように、フランジ部２２が周設されている。また、ソケット本体２１の外周面においてフランジ部２２の前方には、複数の取付突起２６が設けられている。複数の取付突起２６は、図２に示すように、周方向に沿って等角度間隔で間欠的に配置されている。
【００１６】
コネクタ嵌合部２５の内部には、バルブＢと電気的に接続される＋側と−側とからなる一対のタブ端子４０が装着されている。隔壁２３には、両タブ端子４０の外周形状に適合して両タブ端子４０を挿通可能とする一対の挿通孔２３Ａが前後方向に貫通形成されている。これにより両タブ端子４０は、コネクタ嵌合部２５の内部において上下左右に位置決めされた状態で装着される。
【００１７】
一方、フード部２４の内部には、両タブ端子４０と一体に形成されたバルブホルダ４１が装着されている。このバルブホルダ４１は、バルブＢの電極（図示せず）を挟持してバルブＢを取着するホルダとして機能している。バルブＢの電極は、＋側と−側とから構成され、各電極を挟持する接点部は、それぞれ対応するタブ端子４０と電気的に接続されている。なお、バルブＢは、周知のウェッジベースバルブとされている。
【００１８】
バルブホルダ４１の上下両側には、一対の係止片４２が設けられている。両係止片４２は、フード部２４の内面に設けられた上下一対の係止突起２４Ａと前後方向に係止可能とされている。両係止片４２が両係止突起２４Ａに係止した状態では、バルブホルダ４１の後面が隔壁２３の前面と接触している。これにより、バルブホルダ４１がフード部２４の内部で前後方向に位置決めされた状態で装着される。
【００１９】
一方、ランプハウス３０には、フード部２４が差し込まれる取付孔３１が貫通して設けられている。取付孔３１には、複数の取付突起２６と対応して複数の切り欠き（図示せず）が設けられている。複数の取付突起２６を対応する切り欠きに合うようにフード部２４を取付孔３１に差し込んだ後、フード部２４を回転させることにより、複数の取付突起２６が取付孔３１の前側開口縁部３２と前後方向に係止する。これにより、バルブソケット２０がランプハウス３０に取り付け固定される。
【００２０】
ガスケット１０は、ゴムなどの弾性材を略円筒状に成形したものである。このガスケット１０は、フード部２４の外周面に沿って前後方向に延びる円筒状の軸シール部分１１と、軸シール部分１１の後端部から径方向外側に張り出すリング状の面シール部分１２とから構成されている。また、ガスケット１０の内面側には、フード部２４の外周面に対して面接触状態で密着する平面状の密着面１３が形成されている。これにより、バルブソケット２０を回転止めする際に、ガスケット１０がめくれるなどの不具合をなくすことができる。
【００２１】
軸シール部分１１は、フード部２４の外周面とこれに対向する取付孔３１の内周面３４との間でフード部２４の径方向に狭圧される。一方、面シール部分１２は、フランジ部２２の前面とこれに対向する取付孔３１の後側開口縁部３３との間でフード部２４の軸方向に狭圧される。これにより、バルブソケット２０とランプハウス３０との間は、軸シール部分１１と面シール部分１２の双方によって防水される。
【００２２】
また、軸シール部分１１の前端部には、テーパ面１４が周設されている。このテーパ面１４は、前方に向かうほどフード部２４の外周面に近づく傾斜面を有している。したがって、軸シール部分１１を取付孔３１に対して後方から挿入する際に、テーパ面１４が取付孔３１の開口縁に摺接することで、軸シール部分１１を正規の嵌合位置に案内することができる。
【００２３】
本実施形態は以上のような構成であって、続いてその作用を説明する。まず、バルブソケット２０にバルブＢを取り付けるには、バルブＢのウェッジベースをフード部２４内のバルブホルダ４１に挿入し、このバルブホルダ４１内の各接点部でバルブＢの各電極を挟持する。これにより、バルブＢがバルブホルダ４１に保持される。
【００２４】
次に、フード部２４をランプハウス３０の取付孔３１に対して後方から挿入していく。すると、ガスケット１０の軸シール部分１１のテーパ面１４が取付孔３１の開口縁に摺接し、正規の嵌合位置に案内される。これと併行して、複数の取付突起２６を、対応する複数の切り欠きに通しつつ、ガスケット１０の面シール部分１２を撓ませながらフランジ部２２を取付孔３１の後側開口縁部３３に押し付ける。そして、フード部２４を回すと、複数の取付突起２６が取付孔３１の前側開口縁部３２に係止してバルブソケット２０が図１に示す状態に取り付けられる。このとき、ガスケット１０の密着面１３がフード部２４の外周面に密着しているため、ガスケット１０がめくれることはない。
【００２５】
この状態では、ランプハウス３０とバルブソケット２０との間が軸シール部分１１と面シール部分１２の双方で防水されているため、ガスケット１０のシール性能を向上させることができる。これにより、ランプハウス３０内にバルブソケット２０から水が浸入してレンズが曇ることのないランプとすることができる。なお、上記実施形態では軸シール部分１１が面シール部分１２と一体に形成されているため、部品点数を減少することができ、ガスケット１０をフード部２４の外周面に対して容易に取り付けることができる。
【００２６】
＜他の実施形態＞
本発明は上記記述及び図面によって説明した実施形態に限定されるものではなく、例えば次のような実施形態も本発明の技術的範囲に含まれる。
（１）上記実施形態では平面状の密着面１３を備えているものの、本発明によると、複数のリップ部を設けておき、このリップ部を潰しながらフード部２４の外周面に密着させてもよい。
【００２７】
（２）上記実施形態ではテーパ面１４を備えているものの、本発明によると、必ずしも軸シール部分１１の前端部にテーパ面１４を形成しなくてもよく、その代わりに取付孔３１の後側開口縁部３３に案内用のテーパ面を形成してもよい。
【符号の説明】
【００２８】
１０…ガスケット
１１…軸シール部分
１２…面シール部分
１３…密着面
１４…テーパ面
２０…バルブソケット
２２…フランジ部
２４…フード部
３０…ランプハウス（被取付部）
３１…取付孔
３３…後側開口縁部
３４…内周面
４１…バルブホルダ
Ｂ…バルブ
【図１】
2011108485.tif 000003
【図２】
2011108485.tif 000004
【図３】
2011108485.tif 000005